(57)【要約】【課題】本発明の目的は、さまざまな悪臭に対して良好な消臭効果を有する消臭剤組成物を提供することである。【解決手段】本発明は、（ａ）成分：酸及び／又はその塩、及び（ｂ）成分：２以上の官能基を含有する消臭成分を含有する消臭剤組成物であって、組成物に対して１ｍｏｌ／Ｌのアンモニア水溶液をｐＨが７．０になるまで添加したときの添加量が、組成物１００質量部に対し８．０質量部以上である弱酸性の消臭剤組成物を提供する。【選択図】なし【特許請求の範囲】
【請求項１】
（ａ）成分：酸及び／又はその塩、及び
（ｂ）成分：２以上の官能基を含有する消臭成分を含有する消臭剤組成物であって、
組成物に対して１ｍｏｌ／Ｌのアンモニア水溶液をｐＨが７．０になるまで添加したときの添加量が、組成物１００質量部に対し８．０質量部以上である弱酸性の消臭剤組成物。
【請求項２】
さらに、下記Ａ群から選ばれる１種または２種以上のＡ群成分と、下記Ｂ群から選ばれる１種または２種以上のＢ群成分と、を含有する請求項１に記載の消臭剤組成物。
Ａ群：１−ヘキサノール、カプロン酸アリル、シス−ジャスモン、シス−３−ヘキセノール、酢酸シス−３−ヘキセニル、シトラール、ユーカリ油、酢酸ヘキシル、ラバンジン油、ライム油、フェニルアセトアルデヒド、ジメチルテトラヒドロベンズアルデヒド
Ｂ群：３α，６，６，９α−テトラメチルドデカナフト［２，１−ｂ］フラン、α−アミルシンナミックアルデヒド、酢酸シトロネリル、４（３）−（４−ヒドロキシ−４−メチルペンチル）−３−シクロヘキセン−１−カルボキシアルデヒド、γ−デカラクトン、ｐ−ｔｅｒｔ−ブチル−α−メチルヒドロシンナミックアルデヒド、酢酸リナリル、２，４−ジメチル−１，３−ジオキソラン−２−イル酢酸エチル、オレンジ油、酢酸スチラリル
【請求項３】
Ａ群成分の質量に対するＢ群成分の質量の比が１．０／１〜１１．０／１である請求項２に記載の消臭剤組成物。
【発明の詳細な説明】
【技術分野】
【０００１】
本発明は、消臭剤組成物に関する。
【背景技術】
【０００２】
快適な生活を送るため、従来から、たばこ臭、生ごみ臭、愛玩動物の糞尿の臭い等の不快な臭いを消臭する消臭剤が求められており、種々の検討が行われている。
【０００３】
例えば、特許文献１には、強い芳香をもたずに優れた消臭効果を有するとともに、人体やペットに対する安全性が高い消臭剤を提供する目的で、植物抽出物と有機酸（塩）及び弱アルカリ剤とを含有し、所定の緩衝能に調整された消臭剤組成物が開示されている。
特許文献２には、毛髪や衣服等に付着したたばこ臭や悪臭を消臭する目的で、ポリフェノール誘導体と、有機酸（塩）からなる緩衝能を有する物質と、を含有するｐＨ３〜６の消臭剤組成物が開示されている。
特許文献３には、脂肪酸類、アルデヒド類及びアミン類に由来する複合臭を低減することを目的として、特定のヒドロキシアミン化合物を含み所定のｐＨ緩衝能を有する消臭剤が開示されている。
特許文献４には、従来の消臭効果を改善し、繊維製品に対して消臭と同時に柔軟性を与えることを目的として、所定の両性界面活性剤及びカルボン酸類及びリン酸類から選ばれるｐＨ緩衝効果を有する化合物を必須成分とし、２５℃でのｐＨが６〜８の消臭剤組成物が開示されている。
【０００４】
特許文献５には、安定性に優れ、混合型悪臭を効率よく消臭することができる消臭剤を提供することを目的として、ポリフェノール及び散在とを含有する液状混合物を含む成分と、アルカリ剤と水性溶媒とを含む成分とからなる二液型消臭剤が開示されている。
特許文献６には、繊維製品に対して高い消臭性能を有し、特にたばこ臭に対して防臭効果が優れる消臭剤を提供することを目的として、ナフタレンスルホン酸又はその塩を含有する消臭剤組成物が開示されている。
【先行技術文献】
【特許文献】
【０００５】
【特許文献１】特開２００２−７１１号公報
【特許文献２】特開２００２−３３６３３８号公報
【特許文献３】特開２００６−３２０７１１号公報
【特許文献４】特開２０１４−７３２１５号公報
【特許文献５】特開２００７−２５２５４３号公報
【特許文献６】特開２００６−８５９６号公報
【発明の概要】
【発明が解決しようとする課題】
【０００６】
不快な臭いは一種類の悪臭である場合もあるが、複数の悪臭が複合した複合悪臭により、不快感を持つ場合も多い。特に近年では、室内で愛玩動物を飼う家庭が増えているため、愛玩動物の発する臭いとともに、生ごみ臭、及び／又は、たばこ臭等が複合した複合悪臭も問題となっており、さまざまな悪臭を消臭することができる消臭剤が強く求められるようになってきている。
【０００７】
本発明の課題は、さまざまな悪臭に対して良好な消臭効果を有する消臭剤組成物を提供することを目的とする。
【課題を解決するための手段】
【０００８】
上記課題を解決すべく鋭意検討した結果、酸及び／又はその塩と、２以上の官能基を含有する消臭成分と、を含ませ、かつ、１ｍｏｌ／Ｌのアンモニア水溶液をｐＨが７．０になるまで添加したときの添加量が組成物１００質量部に対して８．０質量部以上となるように緩衝能を調整することにより、さまざまな悪臭に対して良好な消臭効果を発揮させることができるという知見が得られた。本発明はかかる新規な知見に基づくものである。
【０００９】
本発明は下記［１］〜［３］を提供する。
［１］（ａ）成分：酸及び／又はその塩、及び（ｂ）成分：２以上の官能基を含有する消臭成分を含有する消臭剤組成物であって、組成物に対して１ｍｏｌ／Ｌのアンモニア水溶液をｐＨが７．０になるまで添加したときの添加量が、組成物１００質量部に対し８．０質量部以上である弱酸性の消臭剤組成物。
［２］さらに、下記Ａ群から選ばれる１種または２種以上のＡ群成分と、下記Ｂ群から選ばれる１種または２種以上のＢ群成分と、を含有する［１］に記載の消臭剤組成物。
Ａ群：１−ヘキサノール、カプロン酸アリル、シス−ジャスモン、シス−３−ヘキセノール、酢酸シス−３−ヘキセニル、シトラール、ユーカリ油、酢酸ヘキシル、ラバンジン油、ライム油、フェニルアセトアルデヒド、ジメチルテトラヒドロベンズアルデヒド
Ｂ群：３α，６，６，９α−テトラメチルドデカナフト［２，１−ｂ］フラン、α−アミルシンナミックアルデヒド、酢酸シトロネリル、４（３）−（４−ヒドロキシ−４−メチルペンチル）−３−シクロヘキセン−１−カルボキシアルデヒド、γ−デカラクトン、ｐ−ｔｅｒｔ−ブチル−α−メチルヒドロシンナミックアルデヒド、酢酸リナリル、２，４−ジメチル−１，３−ジオキソラン−２−イル酢酸エチル、オレンジ油、酢酸スチラリル
［３］Ａ群成分の質量に対するＢ群成分の質量の比が１．０／１〜１１．０／１である［２］に記載の消臭剤組成物。
【発明の効果】
【００１０】
本発明によれば、さまざまな悪臭に対して良好な消臭効果を有する消臭剤組成物を提供することができる。
【発明を実施するための形態】
【００１１】
本発明の消臭剤組成物は、（ａ）成分：酸及び／又はその塩と、（ｂ）成分：２以上の官能基を含有する消臭成分と、を含有する。
【００１２】
＜（ａ）成分＞
（ａ）成分は酸及び／又はその塩である。
【００１３】
（ａ）成分としては例えば、乳酸、グルコン酸、コハク酸、グルタル酸、アジピン酸、リンゴ酸、酒石酸、マレイン酸、フマル酸、イタコン酸、クエン酸、フタル酸、酢酸、安息香酸、サリチル酸、ジエチルバルビツル酸等のカルボン酸、グリシン、アラニン、バリン、ロイシン、セリン、グルタミン酸、アスパラギン酸等のアミノ酸、リン酸、ホウ酸等の無機酸、及びこれらの酸の塩が挙げられる。
【００１４】
上記酸の塩としては例えば、アルカリ金属塩、アンモニウム塩、及びアミン塩等が挙げられる。アルカリ金属塩としては例えば、ナトリウム塩、カリウム塩等が挙げられ、アミン塩としては例えば、トリエタノールアミン塩等が挙げられる。（ａ）成分は、上記例を一種または二種以上を組み合わせて用いることができる。
【００１５】
（ａ）成分は、リン酸、クエン酸、コハク酸、リンゴ酸、マレイン酸、フマル酸、並びに、これらのアルカリ金属塩及びアンモニウム塩からなる群より選ばれる少なくとも１つを含むことが好ましく、クエン酸、リン酸、クエン酸３ナトリウム塩、クエン酸３アンモニウム塩、リンゴ酸、コハク酸及びマレイン酸からなる群より選ばれる少なくとも１つを含むことがより好ましい。
【００１６】
本発明の消臭剤組成物中の（ａ）成分の含有量は、組成物のｐＨが酸側やアルカリ側に変動するのを抑制する観点から、０．０１〜７．０質量％であるのが好ましく、０．０５〜６．０質量％であるのがより好ましく、０．１〜５．５質量％であるのがさらに好ましい。
【００１７】
＜（ｂ）成分＞
（ｂ）成分は、２以上の官能基を含有する消臭成分である。
官能基は、悪臭成分を結合し得る官能基であればよく、例えば、カルボキシル基、アルデヒド基、スルホン酸基等の酸性官能基、アミド基等の塩基性官能基が挙げられる。消臭成分が有する官能基の数は、２以上であればよく、特に限定されない。消臭成分が有する官能基は、少なくとも１つの酸性官能基と少なくとも１つの塩基性官能基を含むことが好ましい。これにより、酸性官能基がアンモニアやトリメチルアミン等の塩基性の悪臭成分と反応し、塩基性官能基が硫化水素、ホルムアルデヒド等の酸性の悪臭成分と反応し得るため、悪臭物質を無臭物質に変換し得る。消臭成分の官能基を有していればよくその基本構造は特に限定されないが、例えば、ベタイン化合物等のベタイン関連化合物が挙げられる。（ｂ）成分は、２以上の官能基を含有する消臭成分の２以上の組み合わせであってもよい。
【００１８】
本発明の消臭剤組成物中の（ｂ）成分の含有量は、十分な消臭効果が得られるという観点から、０．０１〜７．０質量％であるのが好ましく、０．０５〜５．０質量％であるのがより好ましく、０．１〜３．０質量％であるのがさらに好ましい。
【００１９】
さらに、（ｂ）成分の質量に対する（ａ）成分の質量の比［（ａ）成分の質量／（ｂ）成分の質量］は、消臭効果に優れるという観点から、１０／９０〜９０／１０が好ましく、２０／８０〜８０／２０がより好ましく、３０／７０〜７０／３０がさらに好ましい。
【００２０】
＜香料成分＞
本発明の消臭剤組成物は、下記Ａ群から選ばれる成分（Ａ群成分）及び下記Ｂ群から選ばれる成分（Ｂ群成分）を含有していてもよい。Ａ群成分およびＢ群成分は、いずれか一方を単独で用いてもよいし、それぞれの群から、一種または二種以上を選択し組み合わせて用いてもよい。
【００２１】
Ａ群：１−ヘキサノール、カプロン酸アリル、シス−ジャスモン、シス−３−ヘキセノール、酢酸シス−３−ヘキセニル、シトラール、ユーカリ油、酢酸ヘキシル、ラバンジン油、ライム油、フェニルアセトアルデヒド、ジメチルテトラヒドロベンズアルデヒド
Ｂ群：３α，６，６，９α−テトラメチルドデカナフト［２，１−ｂ］フラン、α−アミルシンナミックアルデヒド、酢酸シトロネリル、４（３）−（４−ヒドロキシ−４−メチルペンチル）−３−シクロヘキセン−１−カルボキシアルデヒド、γ−デカラクトン、ｐ−ｔｅｒｔ−ブチル−α−メチルヒドロシンナミックアルデヒド、酢酸リナリル、２，４−ジメチル−１，３−ジオキソラン−２−イル酢酸エチル、オレンジ油、酢酸スチラリル
【００２２】
Ａ群に属する成分は、愛玩動物に係わる臭いに対してマスキング効果に優れている化合物又は精油類（マスキング成分）である。これらの成分は、該成分を含む植物から抽出してもよい。Ａ群成分としては、ユーカリ油、酢酸ヘキシル、ジメチルテトラヒドロベンズアルデヒド、シス−３−ヘキセノール、酢酸シス−３−ヘキセニル、及びカプロン酸アリルから選ばれる化合物が好ましく、これらから選ばれる２種以上を組み合わせて用いるのがより好ましく、ユーカリ油、酢酸ヘキシル及びジメチルテトラヒドロベンズアルデヒドの組み合わせ並びにシス−３−ヘキセノール、酢酸シス−３−ヘキセニル、酢酸へキシル及びカプロン酸アリルの組み合わせがより好ましい。
【００２３】
Ｂ群に属する成分は、愛玩動物に係わる臭いに対してハーモナイズド効果に優れている化合物又は精油類（ハーモナイズド成分）である。これらの成分は、該成分を含む植物から抽出してもよい。Ｂ群成分としては、α−アミルシンナミックアルデヒド、４（３）−（４−ヒドロキシ−４−メチルペンチル）−３−シクロヘキセン−１−カルボキシアルデヒド、γ−デカラクトン、ｐ−ｔｅｒｔ−ブチル−α−メチルヒドロシンナミックアルデヒド、２，４−ジメチル−１，３−ジオキソラン−２−イル酢酸エチル及び酢酸スチラリルから選ばれる化合物が好ましく、これらから選ばれる二種以上を組み合わせて用いるのがより好ましく、α−アミルシンナミックアルデヒド、４（３）−（４−ヒドロキシ−４−メチルペンチル）−３−シクロヘキセン−１−カルボキシアルデヒド、２，４−ジメチル−１，３−ジオキソラン−２−イル酢酸エチル及び酢酸スチラリルの組み合わせ、並びに、α−アミルシンナミックアルデヒド、γ−デカラクトン、ｐ−ｔｅｒｔ−ブチル−α−メチルヒドロシンナミックアルデヒドの組み合わせがさらに好ましい。
【００２４】
Ａ群成分の配合量は、消臭剤組成物全体に対して０．００１質量％〜５．０質量％が好ましく、０．０１〜３．０質量％がより好ましく、０．０２５〜２．０質量％がさらに好ましい。Ｂ群成分の配合量は、消臭剤組成物全体に対して０．００１質量％〜５．０質量％が好ましく、０．０１〜３．０質量％がより好ましく、０．０２５〜２．０質量％がさらに好ましい。Ａ群成分及びＢ群成分の合計配合量は、消臭剤組成物全体に対して０．００１〜７．０質量％が好ましく、０．００５〜５．０質量％がより好ましく、０．０１〜３．０質量％がさらに好ましい。
【００２５】
本発明においては、愛玩動物由来の臭いを消臭する効果に優れるという観点からＡ群成分とＢ群成分とを組み合わせて用いるのが好ましい。Ａ群成分とＢ群成分とを組み合わせて用いる場合、消臭効果、香気のバランス及び拡散性に優れるという観点から、Ａ群成分の質量に対するＢ群成分の質量の比［（Ｂ群成分の質量）／（Ａ群成分の質量）で表される質量比］は、１．０／１〜１１．０／１であるのが好ましく、２．０／１〜７．５／１がより好ましく、２．５／１〜７．０／１がさらに好ましい。
【００２６】
本発明において、上記Ａ群成分及びＢ群成分の他に、さらにその他の香料成分を含有することができる。その他の香料成分としては、例えば「Ｐｅｒｆｕｍｅ  ａｎｄ  Ｆｌａｖｏｒ  Ｃｈｅｍｉｃａｌｓ  」，Ｖｏｌ．Ｉａｎｄ  ＩＩ，Ｓｔｅｆｆｅｎ  Ａｒｃｔａｎｄｅｒ，Ａｌｌｕｒｅｄ  Ｐｕｂ．Ｃｏ．（１９９４）及び「合成香料    化学と商品知識」、印藤元一著、化学工業日報社（１９９６）及び「香りの百科」、日本香料協会編、朝倉書店（１９８９）及び「Ｐｅｒｆｕｍｅｒｙ  Ｍａｔｅｒｉａｌ  Ｐｅｒｆｏｒｍａｎｃｅ  Ｖ．３．３」，Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）及び「Ｆｌｏｗｅｒ  ｏｉｌｓ  ａｎｄ  Ｆｌｏｒａｌ  Ｃｏｍｐｏｕｎｄｓ  Ｉｎ  Ｐｅｒｆｕｍｅｒｙ」，Ｄａｎｕｔｅ  ＬａｊａｕｊｉｓＡｎｏｎｉｓ，Ａｌｌｕｒｅｄ  Ｐｕｂ．Ｃｏ．（１９９３）等に記載のものを挙げることができる。Ａ群成分、Ｂ群成分及びこれら以外の香料成分全量に対するＡ群成分及びＢ群成分の合計配合量は、５〜６０質量％が好ましく、１０〜４０質量％がより好ましく、１５〜３５質量％がさらに好ましい。
【００２７】
本発明の消臭剤組成物が香料成分を含む場合、本発明の効果を損わない範囲で、香料用溶剤、香料安定化剤を配合することができる。
【００２８】
香料用溶剤としては、エタノール、アセチン（トリアセチン）、ヘキシレングリコール、プロピレングリコール、１，３−ジブチレングリコール、ジプロピレングリコール等が挙げられ、１種単独で又は２種以上を適宜組み合わせて用いることができる。香料用溶剤の配合量は、香料組成物全体に対して１〜５０質量％が好ましく、２．５〜４０質量％がより好ましく、３．０〜３０質量％がさらに好ましい。
【００２９】
香料安定化剤としては、ジブチルヒドロキシトルエン、ブチルヒドロキシアニソール、ビタミンＥとその誘導体、カテキン化合物、フラボノイド化合物、ポリフェノール化合物等が挙げられ、１種単独で又は２種以上を適宜組み合わせて用いることができる。香料安定化剤の配合量は、香料組成物全体に対して０．００１〜１０質量％が好ましく、０．００５〜７質量％がより好ましく、０．０１〜５質量％がさらに好ましい。
【００３０】
＜ｐＨ＞
本発明の消臭剤組成物は弱酸性であり、有効性及び安定性の観点からｐＨは４．４〜５．８であるのが好ましく、４．５〜５．５であるのがより好ましく、４．５〜５．０であるのがさらに好ましい。ｐＨは、上記（ａ）成分の組み合わせと配合量により調整することができるが、（ａ）成分とともに、例えば、塩酸、硝酸、水酸化ナトリウム、水酸化カリウム、モノエタノールアミン、ジエタノールアミン、及びトリエタノールアミンなどのｐＨ調整剤を本発明の効果を損なわない範囲で使用して調整することもできる。
【００３１】
＜緩衝能＞
本発明の消臭剤組成物は、消臭剤組成物１００質量部に対してモル濃度が１ｍｏｌ／Ｌのアンモニア水溶液をｐＨが７．０になるまで添加したとき、１ｍｏｌ／Ｌアンモニア水溶液の添加量が８質量部以上となるように緩衝能が調整されている。緩衝能は、消臭効果に優れるという観点から、消臭剤組成物１００質量部に対してモル濃度が１ｍｏｌ／Ｌのアンモニア水溶液をｐＨが７．０になるまで添加したときの１ｍｏｌ／Ｌアンモニア水溶液の添加量が９質量部以上となるように調整されているのが好ましく、１０質量部以上となるように調整されているのが、より好ましく、１１質量部以上となるように調整されているのがさらに好ましい。
【００３２】
緩衝能を調整することで、様々な悪臭が消臭剤組成物に溶け込んだ際のｐＨ変化を抑制して、悪臭の溶解度低下を緩和することにより、消臭効果をより向上させることができる。本発明においては、緩衝能を高くすると、悪臭の溶解量が多くなり、より高い消臭効果を発揮することができる。
【００３３】
本発明の消臭剤組成物の緩衝能を調整する場合、その手段は特に制限されるものではなく、（ａ）成分の種類及び配合量、上記ｐＨ調整剤、緩衝液などを配合して調整することもできる。緩衝液としては、例えば、フタル酸水素カリウム／水酸化ナトリウム、クエン酸ナトリウム／水酸化ナトリウム等が好適に使用される。
【００３４】
本発明の消臭剤組成物には、本発明の効果を妨げない範囲で、（ｂ）成分以外の消臭成分等を配合することができる。このような消臭成分としては、例えば植物抽出物が挙げられ、より具体的には、カタバミ、ドクダミ、ツガ、イチョウ、クロマツ、カラマツ、アカマツ、キリ、ヒイラギモクセイ、ライラック、キンモクセイ、フキ、ツワブキ、レンギョウ、クリ、ハンノキ、コナラ、ザクロ、イチジク、ゼンマイ、タニウツギ、カキノキ、オオバコ、ヨモギ、ヤマモミジ、サルスベリ、シロバナハギ、アセビ、シダ、ヤマナラシ、コバノトネリコ、甘蔗などから抽出されるエキス等が挙げられる。これらの植物抽出物は、１種単独で又は２種以上を適宜組み合わせて使用できる。なお、配合量は特に制限されないが、組成物全量に対して０．０１〜１０質量％、特に０．０５〜５質量％とすると好適である。
【００３５】
本発明の消臭剤組成物には、上記成分以外にも本発明の効果を妨げない範囲で必要に応じて消臭剤に通常用いる成分を配合することができる。このような成分としては、具体的には、殺菌剤、防腐剤、防カビ剤などを挙げることができる。
【００３６】
＜本発明の消臭剤組成物の形態＞
本発明の消臭剤組成物は、消臭対象、目的に応じて、空間消臭剤（芳香剤、空気洗浄剤など）、衣類消臭剤、排泄物用消臭剤などとして利用してもよい。消臭剤は、溶液、スプレー、クリーム、ペースト、ゲル、ジェル、粉末、顆粒等の形態で使用すればよい。また、消臭剤組成物をシート状成形体、粒状成形体、天然の砂、シリカゲル又はパルプ粉末、葉粉末、オカラ又は米ぬか等の固形物に噴霧又は滴下等の方法により担持させて用いてもよい。シート状の成形体としては、例えば吸水紙や粉砕パルプ、高分子吸水剤等の吸収性物質を吸水紙や不織布に挟み込んだものなどを用いることができる。粒状成形体としては水膨潤性の粘土鉱物からなるもの等が挙げられる。これらのうち、スプレーの形態で使用することが好ましい。本発明の消臭剤がスプレー剤である場合、スプレー剤は、エアゾールタイプ、ポンプタイプのいずれであってもよい。スプレー剤は、愛玩動物（例えば、ネコ、イヌ、ウサギ、ハムスター、モルモット、小鳥）の排泄物、排泄物を吸収したシート、ネコ砂、ケージ、ゴミ箱、ごみ袋、雑巾、布巾、衣類、空間（室内など）等に噴霧して用いることができる。
【００３７】
また、これら任意成分の配合量は、本発明の効果を損なわない範囲の常用量とすることができる。
【実施例】
【００３８】
以下に実施例を挙げて本発明を具体的に示すが、本発明はこの実施例に限定されるものではない。なお、下記の例において特に明記のない場合は、組成の「％」は質量％、比率は質量比を示す。
【００３９】
＜実施例１〜８及び比較例１〜２の消臭剤組成物の調製＞
表２及び表３に示す組成の実施例１〜８及び比較例１〜２の消臭剤組成物を調製した。表２中、クエン酸／クエン酸３ナトリウムは、クエン酸とクエン酸３ナトリウムとを８０／２０の質量比で混合したものであり、クエン酸／クエン酸３アンモニウムは、クエン酸とクエン酸３アンモニウムとを８０／２０の質量比で混合したものである。各消臭剤組成物について、下記方法で緩衝能を測定するとともに消臭性能を評価し、結果を表２及び表３に示した。消臭成分は、塩基性物質（アンモニア、アミン類等）に対するカルボキシル基、酸性物質（硫化水素、メルカプタン類等）に対するアルデヒド基、アミノ基などの官能基を含有する成分であり、消臭成分Ａは、エポリオンＮ−３００（共立製薬（株））、消臭成分Ｂは、ＤＥＯＤＯＲＡ  ＮＴＡ−３００（高砂香料工業（株））である。
【００４０】
＜緩衝能の測定（組成物をｐＨ７．０にするのに必要なアンモニア量の測定）＞
２００ｍＬ容のビーカーに各消臭剤組成物１００ｇを入れ、１ｍｏｌ／Ｌアンモニア水溶液を徐々に滴下していき、ｐＨが７．０になるまでに要したアンモニア水溶液量（ｇ）を測定した。
【００４１】
＜消臭性能の評価試験＞
容量約１０Ｌのコック付きエアーバッグ内に５×５ｃｍの木綿布を入れたものを用意し、表１に記載の配合の複合悪臭１〜３をそれぞれマイクロシリンジで木綿布に０．１ｍｇ滴下し、３０分間室温で放置し、悪臭を飽和させた。
この布に各消臭剤組成物を均一となるようにスプレーにて０．５ｇ塗布したものを室温で（約２０℃）１時間放置した後、エアーバッグのコックを開いて臭気判定士５名で直接嗅ぎ、以下の評価基準で評価し、その平均値で示した。
【００４２】
評価基準：
０：無臭
１：やっと感知できる臭い
２：何のニオイであるかわかる弱い臭い
３：楽に感知できる臭い
４：強い臭い
５：強烈な臭い
【００４３】
【表１】
2017118889.tif 000002
【００４４】
表１に記載の悪臭Ａ〜Ｅは以下のとおりである。
Ａ：１．５％アンモニア水溶液０．２ｍＬ
Ｂ：０．０５％インドール・エタノール溶液１００μＬ
Ｃ：０．１％イソ吉草酸水溶液０．５ｍＬ
Ｄ：０．０５％メチルメルカプタン・エタノール溶液１００μＬ
Ｅ：１０Ｌのボックス中でたばこ（セブンスター）を５本燃焼させた気体を濃縮したエタノール溶液１００μＬ
【００４５】
【表２】
2017118889.tif 000003
【００４６】
【表３】
2017118889.tif 000004
【００４７】
＜実施例９〜１６の消臭剤組成物の調製＞
表４に示す組成の香料成分１と、表５に示す組成の香料成分２と、を調製し、該香料成分１及び２を用いて、表６及び表７に示す組成の実施例９〜１６の消臭剤組成物を調製した。表６中、クエン酸／クエン酸３ナトリウムは、クエン酸とクエン酸３ナトリウムとを８０／２０の質量比で混合したものであり、クエン酸／クエン酸３アンモニウムは、クエン酸とクエン酸３アンモニウムとを８０／２０の質量比で混合したものである。得られた消臭剤組成物について、実施例１〜８と同様の方法で緩衝能を測定するとともに消臭性能評価試験を行い、結果を表６及び表７に示した。
【００４８】
【表４】
2017118889.tif 000005
【００４９】
【表５】
2017118889.tif 000006
【００５０】
【表６】
2017118889.tif 000007
【００５１】
【表７】
2017118889.tif 000008
【００５２】
（結果と考察）
（ａ）成分と（ｂ）成分とを含み、組成物１００ｇに対して１ｍｏｌ／Ｌのアンモニア水溶液をｐＨが７．０になるまで添加したときの添加量が８．０ｇ以上となるように緩衝能が調整されている実施例１〜１６では、消臭性能の試験結果が１．８以下であり、いずれの複合悪臭に対しても消臭効果が高かった。これに対して、（ａ）成分のみを含み（ｂ）成分を含まない比較例１および２では、消臭性能の試験結果が３．８以上であり、複合悪臭に対する消臭効果が発揮できなかった。
この結果から、酸及び／又はその塩と、２以上の官能基を含有する消臭成分とを含有させ、かつ、１ｍｏｌ／Ｌのアンモニア水溶液をｐＨが７．０になるまで添加したときの添加量が、組成物１００質量部に対して８．０質量部以上となるように緩衝能を調整することにより、さまざまな悪臭に対して良好な消臭効果を発揮することができるということがわかった。
また、香料成分１および２を含む実施例９〜１６では消臭性能の試験結果が１．０以下であるという良好な結果が得られた。この結果から本発明においては、Ａ群成分と、Ｂ群成分と、を香料成分として含有するものが好ましいということがわかった。
【００５３】
以下に本発明の消臭剤組成物を用いた他の配合例を示す。
処方例１．スプレー用液体消臭剤組成物（ｐＨ５．０、緩衝能１１．３ｇ）
［（評価）複合悪臭１：１．０、複合悪臭２：０．８、複合悪臭３：０．８］
クエン酸                                                  ２．０％
トリエタノールアミン                                      ４．０％
エポリオンＮ−３００（共立製薬（株））                    ０．５％
香料成分１                                                ０．１％
ポリオキシエチレンアルキルエーテル                        ０．５％  
エタノール                                                ７．５％
イオン交換水                                                    残
計                                                    １００．０％
【００５４】
処方例２．ペット排泄物処理シート用消臭剤組成物
下記処方の消臭剤組成物（ｐＨ４．５、緩衝能１９．６ｇ）を用いて、以下の手順により排泄物処理シートを作成した。吸水紙（１５ｇ／ｍ2）上に１００ｇ／ｍ2の綿状パルプを載せ、これに高分子吸水剤（アクリル酸塩系；サンフレッシュ）を３０ｇ／ｍ2散布し、さらに、下記処方の消臭剤組成物を２ｇ／ｍ2噴霧することによりペット用の排泄物処理シートを得た。［（評価）複合悪臭１：１．０、複合悪臭２：０．８、複合悪臭３：０．８）］
リン酸                                                  ３０．０％
トリエタノールアミン                                    ６０．０％
エポリオンＮ−３００（共立製薬（株））                    ７．５％
香料成分１                                                ２．５％
計                                                    １００．０％